(57)【特許請求の範囲】
【請求項１】
帯状の原シートをスリッターで複数条のシートに分割し、上下の巻取位置に一本ずつ配置した巻取軸へ振分けて巻取り、巻取ったシートロールをロール受けで下から支えて搬出するシート分割巻取装置であって、巻取位置下方に進入したロール受け前方の空所に支持梁を配設し、この支持梁沿いに位置変え可能、かつ巻取軸に平行な軸線を中心に揺動可能であって、先端が巻取軸へ向く支持姿勢と前記巻取位置から巻出側へ傾いて退避した退避姿勢とをとることができる保持腕を設け、この保持腕の先端の所定位置に第１のコロを、保持腕が支持姿勢をとったとき巻取軸外周面の巻出側下部に当接することができるように装着すると共に、前記保持腕に第２のコロの保持装置を設け、この保持装置を、保持腕が支持姿勢をとったとき第２のコロを巻取軸外周面の巻取側下部に当接する支持位置と巻取軸からの後退位置とにつけることができるように構成したことを特徴とする広幅用のシート分割巻取装置。
【請求項２】
前記支持梁の両端を一対のフレームに固着し、前記支持梁に固設したレールに可動基台をスライド可能に装着し、前記可動基台に前記保持腕を枢着し、前記保持腕が支持姿勢をとったとき該保持腕に係合して巻取側への回転を阻止する位置決め体を前記支持梁に設けた請求項１記載の広幅用のシート分割巻取装置。
【請求項３】
前記保持腕が支持姿勢をとったとき該保持腕に係合して巻取側への回転を阻止する位置決め体を前記支持梁に設ける代わりに、前記可動基台に設けた請求項２記載の広幅用のシート分割巻取装置。
【請求項４】
前記保持装置を、前記第２のコロを保持する、前記保持腕に長手方向にスライド可能に装着した可動体と、この可動体を前記保持腕の長手方向に進出、後退させる流体圧シリンダ装置とで構成した請求項１記載の広幅用のシート分割巻取装置。
【請求項５】
前記支持梁を丸棒とし、前記支持梁の外周にキーを設け、前記保持腕を筒状の可動基台に固着し、可動基台の内周に前記キーを受け入れる所定幅の溝を形成し、前記支持梁の外周に前記保持腕の基部をスキマバメし、前記可動基台に支持梁への固定手段を設け、前記支持梁の両端を一対のフレームに固着した請求項１記載の広幅用のシート分割巻取装置。
【請求項６】
前記支持梁の両端を回動可能に支持し、前記支持梁に沿いにスライド可能に装着した可動基台に前記保持腕を固着し、前記保持腕が支持姿勢及び退避姿勢をとったとき前記支持梁の回動を阻止する位置決め機構を前記支持梁の端部に設けた請求項１記載の広幅用のシート分割巻取装置。
【請求項７】
前記保持装置を、第２のコロを保持する、前記保持腕に枢着した揺動腕と、この揺動腕の先端を前記巻取軸外周面の巻取側下部に対して進出、後退させる流体圧シリンダ装置とで構成した請求項１記載の広幅用のシート分割巻取装置。
【発明の詳細な説明】
【０００１】
【発明の属する技術分野】
本発明は、プラスチックフィルム、紙等の帯状原シートをスリッターで複数条のシートに分割し、上下の巻取位置に一本ずつ配置した巻取軸へ振分けて巻取るシート分割巻取装置に関し、特に、巻取ったシートロールをロール受けで支えて搬出するものに関する。
【０００２】
【従来の技術】
従来、上述のようなシート分割巻取装置には、例えば特公平０１−２２１８９号公報に示すように巻取軸からシートロールを受取るためのロール受けを台車に昇降可能に取付けたものや、実公平４−４４５１７号公報に示すようにロール受けを水平旋回可能に設けたものがある。ところが、近年、原シートの広幅化に伴い巻取軸の長さを長くする必要性が生じている。しかし巻取軸に装着する巻芯の内径を変えることができないため巻取軸の外径を大きくすることができず、巻取軸の長さを長くすると巻取軸は撓み易くなる。そこで、従来のシート分割巻取装置では、原シートの広幅化に対処するために、特開平０５−２４６５８７号公報に開示されているように、一対のフレーム間に固設したレール上に巻取軸中間支持装置を設け、シート巻取中は巻取軸中間支持装置により巻取軸の中央付近を支えて巻取軸の撓みを小さく抑え、シート巻取後、前記レールと巻取軸との間に配置した昇降可能なロール受けで巻取位置のシートロールを下から支え、巻取軸をシートロールから抜取ることによって、ロール受けの上に取外すようにしている。
【０００３】
【発明が解決しようとする課題】
ところが、従来の巻取軸中間支持装置を備えたシート分割巻取装置では、固設したレールと巻取軸との間に設けてあるため、上下の巻取軸の相互間隔を大きくとることが必要であり、上側の巻取軸が高い位置に配置され巻取準備作業の作業性が悪くなると共に巻取装置が大型化する。最近では、広幅化した原シートを複数条に分割して外径の大きいシートロールを形成することが要求され、この要求に応えるためには上側の巻取軸を更に高い位置に設けなければならなくなる。またロール受けは巻取軸中間支持装置が障害になって実質的に巻取軸の下方から機外へ移動できないので、シートロールの搬出や、巻取軸への新たな巻芯の装着等の巻取準備作業に時間がかかる。そこで、本発明は、幅の広い帯状原シートを複数状に分割して外径の大きいシートロールに巻取形成することができる、小型で生産性の高いシート分割巻取装置を提供することを課題としている。
【０００４】
【課題を解決するための手段】
本発明は、巻取位置下方に進入したロール受け前方の空所に支持梁を配設し、この支持梁沿いに位置変え可能、かつ巻取軸に平行な軸線を中心に揺動可能であって、先端が巻取軸へ向く支持姿勢と前記巻取位置から巻出側へ傾いて退避した退避姿勢とをとることができる保持腕を設け、この保持腕の先端の所定位置に第１のコロを、保持腕が支持姿勢をとったとき巻取軸外周面の巻出側下部に当接することができるように装着すると共に、前記保持腕に第２のコロの保持装置を設け、この保持装置を、保持腕が支持姿勢をとったとき第２のコロを巻取軸外周面の巻取側下部に当接する支持位置と巻取軸からの後退位置とにつけることができるように構成したことを特徴とする。
【０００５】
本発明では、第２のコロを後退位置につけることで、退避姿勢の保持腕を巻取側へ倒して支持姿勢をとらせるときや支持姿勢の保持腕を巻出側へ倒して退避姿勢をとらせるときに、第２コロを巻取軸に当たらないようにして保持腕の旋回を可能にする。保持腕に支持姿勢をとらせると、第１のコロが巻取軸外周面の巻出側下部を支え、第２のコロを支持位置につけると、第２のコロは巻取軸外周面の巻取側下部を支える。したがって巻取軸を第１のローラ及び第２のローラにより安定性よく確実に支持することができる。
【０００６】
【発明の実施の形態】
図１は本発明の一実施例に係るシート分割巻取装置の概略正面図であり、このシート分割巻取装置は、上下方向に間隔をおいて平行に並ぶ２本の巻取軸１を備える。この巻取軸１は、例えば実公平１−４４５２０号公報に開示された公知の巻取軸抜取り復帰機構（図示せず）により、一対のフレーム２、３間の巻取位置（実線で示す位置）から片方のフレーム２側へ軸線方向に移動させて抜取位置（２点鎖線で示す位置）につけ、再び巻取位置に復帰させることができる。また、巻取軸１が巻取位置に復帰したとき、巻取軸１の抜取側の一端に装着した軸受装置４が片方のフレーム２に保持されると共に、他の一端がもう片方のフレーム３に設けたセンタ装置５に係合し、巻取軸１は軸受装置４とセンタ装置５よって両端支持され、図示しない公知の回転駆動機構により回転駆動できるようになっている。
【０００７】
図２はシート分割巻取装置の側面図で、図１における線Ａ−Ａ沿いの断面を矢印Ｂの方向に見た状態を示す。このシート分割巻取装置では、図２において右側が巻出側、左側が巻取側となっており、巻出側にある図示しない原シートロールから帯状の原シートＳ０を巻出し、その帯状の原シートＳ０をスリッター６で長手方向に切断することにより複数条のシートＳに分割し、分割したシートＳを上下の巻取位置へ振分け、巻取位置の巻取軸１に装着してある個々の巻芯Ｃのまわりに巻取ってシートロールＲを形成し、シート巻取終了後、ロール受け７を図１に鎖線で示すように、巻取位置の下方に進入させシートロールＲを下から支えた後、巻取位置のシートロールＲから巻取軸１を軸線方向に抜取ることによりシートロールＲを巻取軸１から取外し、ロール受７けを機外に移動させてシートロールＲを機外に取出す。
【０００８】
図２に示すシート分割巻取装置の場合、スリッター６により分割されたシートＳはニップローラ８で上下に分かれ、上側のシートＳは案内ローラ９、１０、１１を経てタッチローラ１２に至り、下側のシートＳは案内ローラ１３、１４、１５を経てタッチローラ１６に至る。そして上下のシートＳは、タッチローラ１２、１６の外周を巻掛けて走行すると共にタッチローラ１２、１６によりシートロールＲへ押し付けられる。図３に示すように上下のタッチローラ１２、１６はそれぞれ一対のアーム１７で両端支持されている。アーム１７は、フレーム２、３に装着した支点軸１８を中心に揺動可能であり、フレーム２、３にシリンダの一端を取り付けた流体圧シリンダ装置１９のピストンロッド１９ａに連結してある。この流体圧シリンダ装置１９は、アーム１７を押し引きして傾けることができると共に、シート巻取中はシートロールＲとタッチローラ１２、１６との接触圧を調節することができる。また上下のロール受け７は、その一端をフレーム２沿いに設けた、図２に示す軸体２０に旋回可能にそれぞれ装着してあり、軸体２０と共に昇降させることができるようになっている。
【０００９】
本発明のシート分割記取装置は、図１に示すようにシート巻取中に巻取軸１の中央付近を支持することができるようにするために巻取軸中間支持装置２１を備える。この巻取軸中間支持装置２１は、図２に２点鎖線で示すように各巻取位置下方に進入したロール受け７の前方の空所に配設した支持梁２２沿いに位置変えすることができ、かつ巻取軸１と平行な軸線を中心に所定揺動角の範囲で揺動することができる保持腕２３と、保持腕２３の先端の所定位置に装着した第１のコロ２４と、保持腕２３に設けた保持装置２５により支持位置と後退位置とにつくことができるように保持した第２のコロ２６とからなる。支持梁２２の両端は図１に示すように一対のフレーム２、３に固着してある。
【００１０】
図４は巻取軸中間支持装置２１の側面図、図５は図４の切断線Ｃ−Ｃ沿いの断面を矢印Ｄの方向に見た断面図、図６は図４の切断線Ｅ−Ｅ沿いの断面を矢印Ｆの方向に見た断面図、図７は図４の矢印Ｇの方向に見た保持腕２３の頭部の平面図である。巻取軸中間支持装置２１では、保持腕２３を支持梁２２沿いに位置変えできるようにするために、支持梁２１に固設したレール２７に可動基台２８をスライド可能に装着し、この可動基台２８に保持腕２３をピン２９により枢着している。可動基台２８はピン２９をレール２７と平行に保持する左右の台部２８ａと、左右の台部２８ａを繋ぐ接合部２８ｂと、レール２７の頭部にスライド可能、脱落不能に係合したスライド体２８ｃとからなり、左右の台部２８ａをスライド体２８ｃの上に載せて固着している。またノブつきのクランプネジ３０を有しており、クランプネジ３０の先端を支持梁２２に押し付けて支持梁２２上の所要位置に固定することができる。
【００１１】
保持腕２３は、その下端を左右の台部２８ａの間に挿入しピン２９で貫通して枢着してあり、ピン２９を中心に揺動可能である。図４に示すように保持腕２３を巻取側へ倒し、保持腕２３の先端が巻取軸１へ向いたとき、この保持腕２３に当接してその巻取側への回転を阻止するように、位置決め体３１を支持梁２２に固設している。この位置決め体３１は、保持腕２３が支持梁２２沿いに位置を変えても支障のないように、保持腕２３の移動範囲全幅にわたって伸びている。したがって、保持腕２３は、それを巻取側へ倒したとき位置決め体３１に当接して保持腕２３の先端が巻取軸１へ向く支持姿勢を保つことができる。また保持腕２３は、巻出側へ倒したとき図８に示すように接合部２８ｂの上面に当接して回転を阻止される。そして、そのとき巻取位置からの退避姿勢をとっている。したがって、保持腕２３は、接合部２８ｂの上面に当接して退避姿勢を保つことができる。保持腕２３に退避姿勢や支持姿勢をとらせるには、作業者が、保持腕２３に設けた取っ手２３ａを持ち、手作業で保持腕２３を傾ける。
【００１２】
図４に示すように、第１のコロ２４は、保持腕２３が支持姿勢をとったとき巻取軸１の外周面の巻出側下部に当接する位置に回転可能に装着してある。保持装置２５は、保持腕２３に設けたレール３２にスライド可能に装着した可動体３３と、この可動体３３を保持腕２３の長手方向に進出、後退させる流体圧シリンダ装置３４とからなり、第２のコロ２６を可動体３３の先端部に回転可能に装着して保持している。流体圧シリンダ装置３４のシリンダ部は、保持腕２３に設けたブラケット３５に取付け、そのピストンロッド３４ａは、可動体３３に設けた腕部３３ａの先端に連結してある。そして流体圧シリンダ装置３４には、それを作動させるために、図示しない管路より適時に圧力流体を供給することができるようになっている。図４に示すように保持腕２３が支持姿勢をとったとき、流体圧シリンダ装置３４により可動体３３を押して前進させると、第２のコロ２６は巻取軸１の外周面の巻取側下部に当接する支持位置につくことができる。またシリンダ装置３４により可動体３３を引いて後退させると、第２のコロ２６は図８に示すように巻取軸１からの後退位置につくことができる。
【００１３】
上述のように構成したシート分割巻取装置において巻取軸中間支持装置２１により巻取軸１を支持するには、図８に示すように保持腕２３に退避姿勢を取らせると共に第２のコロ２６を後退位置につけた状態で、図１に示すように保持腕２３が巻取軸１の中央付近であってシートロールＲの相互間に位置するように可動基台２８を移動して位置付ける。次に、保持腕２３を巻取側へ倒し、図４に示すように保持腕２３に支持姿勢を取らせ、それによって第１のコロ２４を巻取軸１の外周面の巻出側下部に当接させる。その後、流体圧シリンダ装置３３を作動させて第２のコロ２６を支持位置につけ、第２のコロ２６を巻取軸１の外周面の巻取側下部に当接させる。
【００１４】
シートを所定量巻取ってシートロールＲを形成し、シート巻取りが停止すると、流体圧シリンダ装置３４を逆方向に作動させて第２のコロ２６を、図８に示すように後退させる。それによって保持腕２３は巻出側へ傾動可能になる。その後、保持腕２３を巻取側へ倒し退避姿勢をとらせる。この状態の保持腕２３を図２に鎖線で示す。そしてシートロールＲから機内につながっているシートＳを切断し、ロール受け７を機内へ旋回させ、鎖線で示すようにロール受け７でシートロールＲを下から支えた後、巻取軸１を抜取る。
【００１５】
図４に示す装置では、第１のコロ２４と第２のコロ２６とで巻取軸１を支えたとき、第１のコロ２４には保持腕２３の長手方向に荷重が加わるので、その荷重による保持腕２３の回転力は殆ど生じない。また第２のコロ２６には、巻取軸１の中心から、その第２のコロ２６の中心方向に荷重が加わる。この荷重はレール３２に交差する方向であるので、可動体３３のスライド方向の力は小さくなり、流体圧シリンダ装置３４は推力の大きいものでなくても、確実に巻取軸１を支持することができる。また保持腕２３沿いに可動体３３がスライドして第２のコロ２６が支持位置と後退位置とにつくので、保持腕２３の先端付近の占有空間を小さくすることができる。
【００１６】
本発明によれば、必要に応じて、位置決め体３１を図４に示すように支持梁２２に設ける代わりに、図９に示すように可動基台２８に設けてもよい。
【００１７】
また、図４に示す支持梁２２を設ける代わりに、図１０に示すように支持梁２２を丸棒とし、支持梁２２の外周にキー３６を設け、保持腕２３に筒状の可動基台２８を固着し、この可動基台２８の内周に、キー３６を受け入れる所定幅の溝３７を形成し、支持梁２２の外周に可動基台２８をスキマバメし、支持梁２２の両端を図１に示す一対のフレーム２、３に固着してもよい。図１０に示す保持腕２３は溝３７の一方の側面に当たって支持姿勢をとっており、保持腕２３が退避姿勢をとったとき、溝３７のもう一方の側面３７ａがキー３６に当たるようになっている。また可動基台２８には、それを支持梁２２に固定するクランプネジ３０を設け、その可動基台２８を支持梁２２上の所要位置につけたとき、クランプネジ３０で支持梁２２に固定することができるようになっている。
【００１８】
また、図１１に示すように、支持梁２２の両端を回動可能に一対のフレーム２、３に装着し、支持梁２２に沿いにスライド可能に装着した可動基台２８に保持腕２３を固着し、保持腕２３が支持姿勢及び退避姿勢をとったとき支持梁２２の回動を阻止する位置決め機構３８を支持梁２２の端部に設けてもよい。可動基台２８は、キー３６により支持梁に対して回転不能になっている。図１１の位置決め機構３８は、図１２に示すように、保持腕２３が支持姿勢をとったとき、支持梁２２の端部に固着したブラケット３９に係合して保持腕２３の巻取側への回転を阻止する位置決め体４０と、保持腕２３を巻出側へ倒して退避姿勢をとった状態で保持する流体圧シリンダ装置４１とからなる。位置決め体４０はフレーム２に固着してある。また流体圧シリンダ装置４１は、シリンダ端部をフレーム２に枢着し、ブラケット３９にピストンロッド４１ａを連結してあり、保持腕２３を回動させて保持腕２３に退避姿勢と支持姿勢とをとらせることができる。このようにすると巻取軸中間支持装置２１による巻取軸支持作業の自動化を図ることができるのでよい。
【００１９】
また図１３に示すように保持装置２５を、第２のコロ２６を保持する、ピン４２で保持腕２３に枢着した揺動腕４３と、この揺動腕４３を駆動して第２のコロ２６を巻取軸１の外周面の巻取側下部に対し進出、後退させる流体圧シリンダ装置３４とで構成することができる。更に保持装置は、流体圧シリンダ装置の代わりに、手動で可動体又揺動腕を支持位置に移動し、その位置で可動体又揺動腕を、例えばクランプネジなどの固定手段により保持腕に手動で固定するようにしたものであってもよい。
【００２０】
また上述のシート分割巻取装置は、巻取軸を巻取位置のシートロールから抜取ることによりロール受け上に取外すようにしたものであるが、ロール受けを巻取軸の長手方向に移動可能なものとし、又はロール受けを巻取軸長手方向にのコンベアとし、シートロールをロール受けで支えると共に、巻取軸を片持ち状態にして、そのシートロールを巻取軸沿いに移動させて巻取軸から抜取ることにより、シートロールを機外へ取出すようにした公知のものであってもよい。
【００２１】
【発明の効果】
本発明によれば、第１のコロを保持腕の先端の所定位置に装着することにより保持腕に対し進退不能とし、第２のコロのみ進退可能にしてあるので、シート巻取中は、第１のコロと第２のコロを巻取軸外周面の巻取側下部と巻出側下部とに当接させて巻取軸の中央付近を、水平方向及び鉛直方向の撓みが生じないように安定性よく支持することができる。そしてシート巻取終了後は、第２のコロを後退位置につけた後、保持腕を巻出側へ倒して巻取位置から退避させるので、保持腕を、ロール受けによるシートロール搬出作業やシート巻取準備作業に支障がない位置に短時間で簡単に退避させることができる。また支持腕は巻取軸に平行な軸線方向に位置変え可能に設けてあるので、シート分割仕様の変更に容易に対処できる。更に支持梁を巻取位置下方の巻出側寄りに配設することによりロール受けと支持梁とが上下に並ばないようにしてあるので、上下の巻取軸の間隔を狭くすることができる。それゆえ上下の巻取軸の間隔を大きくとらなくても巻取径の大きいシートロールを得ることができる。したがって小型で操作性、作業性が良く生産性の高いシート分割巻取装置を提供することができる。
【図面の簡単な説明】
【図１】本発明の一実施態様を示すシート分割巻取装置の概略正面図である。
【図２】図１に示す切断線Ａ−Ａ沿いの断面を矢印Ｂ方向に見たシート分割巻取装置の側面図である。
【図３】図１に示すシート分割巻取装置の巻取位置の巻出側を示す正面図である。
【図４】保持腕が支持姿勢をとった状態の巻取軸中間支持装置の側面図である。
【図５】図４の切断線Ｃ−Ｃ沿いの断面を矢印Ｄの方向に見た断面図である。
【図６】図４の切断線Ｅ−Ｅ沿いの断面を矢印Ｆの方向に見た断面図である。
【図７】図４の矢印Ｇの方向に見た保持腕の頭部の平面図である。
【図８】保持腕が退避姿勢をとった状態の巻取軸中間支持装置の側面図である。
【図９】保持腕を支持姿勢で保持する位置決め体の変更態様を説明するための側面図である。
【図１０】支持梁と保持腕の基部の変更態様を説明するための側面図である。
【図１１】支持梁と保持腕の他の変更態様を、保持腕及び支持梁の一部を省略して示す正面図である。
【図１２】図１１に示す支持梁及び保持腕の正面図である。
【図１３】保持装置の他の態様を説明するための側面図である。
【符号の説明】
Ｓ  シート
１  巻取軸
７  ロール受け
２１  巻取軸中間支持装置
２２  支持梁
２３  保持腕
２４  第１のコロ
２５  保持装置
２６  第２のコロ
２７  レール
２８  可動基台
２９  ピン
３０  クランプネジ
３１  位置決め体
３２  レール
３３  可動体
３４  流体圧シリンダ装置
３６  キー
３７  溝
３８  位置決め機構
４３  揺動腕
【図１】
0003991351.tif 000002
【図２】
0003991351.tif 000003
【図３】
0003991351.tif 000004
【図４】
0003991351.tif 000005
【図５】
0003991351.tif 000006
【図６】
0003991351.tif 000007
【図７】
0003991351.tif 000008
【図８】
0003991351.tif 000009
【図９】
0003991351.tif 000010
【図１０】
0003991351.tif 000011
【図１１】
0003991351.tif 000012
【図１２】
0003991351.tif 000013
【図１３】
0003991351.tif 000014